【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  記録手段により記録がなされる記録媒体を本体内に供給するための供給開口部、および記録媒体が外部に排出される排出開口部を備えた主筐体と、前記供給開口部を覆う開閉可能な第１のカバー部材と、前記排出開口部を覆う開閉可能な第２のカバー部材とを有する記録装置において、
前記第１のカバー部材を開いた際に前記第２のカバー部材が連動して開き、前記第１のカバー部材および前記第２のカバー部材を閉じた際には、前記第１のカバー部材の端部と前記第２のカバー部材の端部とが互いに対向することを特徴とする記録装置。
【請求項２】  前記第１のカバー部材および前記第２のカバー部材の回転は、それぞれストッパ部材により制限されている、請求項１に記載の記録装置。
【請求項３】  前記第２のカバー部材の、前記ストップ部材により回転を制限されて停止する停止位置が、使用状態で設置した際の設置面に、前記第２のカバー部材が接触しない位置である、請求項２に記載の記録装置。
【請求項４】  前記第１のカバー部材と前記第２のカバー部材のどちらか一方が磁性体を備え、他方が、前記磁性体に対応する位置に金属部材を備えており、前記磁性体と前記金属部材とが吸着した状態で前記第１のカバー部材および前記第２のカバー部材が閉じる、請求項１〜３のいずれかに記載の記録装置。
【請求項５】  前記第１のカバー部材と前記第２のカバー部材とを閉じた際に形成されるＲ形状面と、前記Ｒ形状面に対向する対向面、および前記対向面と前記Ｒ形状面とを接続し、かつ、使用状態で設置した際の設置面に対して略垂直となる接続面を含む、概ね平面形状の外面とを有する、請求項１〜４のいずれか１項に記載の記録装置。
【請求項６】  前記Ｒ形状面とした曲面の中央に設定されている、前記主筐体を構成する上ケースと下ケースとの合わせラインに対して、前記第１のカバー部材と前記第２のカバー部材との合わせラインが、記録装置の使用状態で、前記上ケースと下ケースとの合わせラインよりも設置面側に位置する、請求項５に記載の記録装置。
【請求項７】  前記対向面と前記接続面との角部近傍に、外部機器等と接続するためのコネクタが設けられている、請求項５または６に記載の記録装置。
【請求項８】  前記コネクタが、前記主筐体とは別体である、前記主筐体に対して取り付けられる別部材に設けられている、請求項７に記載の記録装置。
【請求項９】  前記別部材が、前記別部材の前記コネクタを配置した面と、前記対向面とにまたがって配置されている、請求項８に記載の記録装置。
【請求項１０】  少なくとも、駆動に必要な全てのモータ、制御基板、電源基板、および記録手段から吐出された廃インクを収容し、保持するタンク部材を含む部品が、記録装置本体の概ね中央よりも前記平面形状の外面側に配置されている、請求項５〜９のいずれかに記載の記録装置。
【請求項１１】  前記平面形状の外面にはオプション部品の取り付けに利用するビス穴が形成されており、前記ビス穴の周囲が凸形状である、請求項５〜１０のいずれかに記載の記録装置。
【請求項１２】  前記設置面に対向する、前記平面形状の外面である設置対向面に、凸形状の足部材が設けられており、前記設置対向面と対向する前記平面形状の外面に、投影した形状が前記足部材と概ね同じの凹形状部が設けられている、請求項５〜１１のいずれかに記載の記録装置。
【請求項１３】  前記凸形状の足部材が弾性を有する材質からなる、請求項１３に記載の記録装置。
【請求項１４】  前記凹形状部は、前記第１のカバーに一体的に設けられている、請求項１３または１４に記載の記録装置。
【請求項１５】  前記第１のカバー部材および前記第２のカバー部材を閉じた際には、前記第１のカバー部材および前記第２のカバー部材を連結するロック機構を有している、請求項１に記載の記録装置。
【手続補正２】
【補正対象書類名】明細書
【補正対象項目名】００３５
【補正方法】変更
【補正の内容】
【００３５】
以上、本発明の記録装置の一例について詳細に説明したが、本発明はこれに限定されるものではない。以下に、本発明の実施態様の例を列挙する。
〔実施態様１〕
記録手段により記録がなされる記録媒体を本体内に供給するための供給開口部、および記録媒体が外部に排出される排出開口部を備えた主筐体と、前記供給開口部を覆う開閉可能な第１のカバー部材と、前記排出開口部を覆う開閉可能な第２のカバー部材とを有する記録装置において、
前記第１のカバー部材を開いた際に前記第２のカバー部材が連動して開き、前記第１のカバー部材および前記第２のカバー部材を閉じた際には、前記第１のカバー部材の端部と前記第２のカバー部材の端部とが互いに対向することを特徴とする記録装置。
〔実施態様２〕
前記第１のカバー部材および前記第２のカバー部材の回転は、それぞれストッパ部材により制限されている、実施態様１に記載の記録装置。
〔実施態様３〕
前記第２のカバー部材の、前記ストップ部材により回転を制限されて停止する停止位置が、使用状態で設置した際の設置面に、前記第２のカバー部材が接触しない位置である、実施態様２に記載の記録装置。
〔実施態様４〕
前記第１のカバー部材と前記第２のカバー部材のどちらか一方が磁性体を備え、他方が、前記磁性体に対応する位置に金属部材を備えており、前記磁性体と前記金属部材とが吸着した状態で前記第１のカバー部材および前記第２のカバー部材が閉じる、実施態様１〜３のいずれかに記載の記録装置。
〔実施態様５〕
前記第１のカバー部材と前記第２のカバー部材とを閉じた際に形成されるＲ形状面と、前記Ｒ形状面に対向する対向面、および前記対向面と前記Ｒ形状面とを接続し、かつ、使用状態で設置した際の設置面に対して略垂直となる接続面を含む、概ね平面形状の外面とを有する、実施態様１〜４のいずれか１項に記載の記録装置。
〔実施態様６〕
前記Ｒ形状面とした曲面の中央に設定されている、前記主筐体を構成する上ケースと下ケースとの合わせラインに対して、前記第１のカバー部材と前記第２のカバー部材との合わせラインが、記録装置の使用状態で、前記上ケースと下ケースとの合わせラインよりも設置面側に位置する、実施態様５に記載の記録装置。
〔実施態様７〕
前記対向面と前記接続面との角部近傍に、外部機器等と接続するためのコネクタが設けられている、実施態様５または６に記載の記録装置。
〔実施態様８〕
前記コネクタが、前記主筐体とは別体である、前記主筐体に対して取り付けられる別部材に設けられている、実施態様７に記載の記録装置。
〔実施態様９〕
前記別部材が、前記別部材の前記コネクタを配置した面と、前記対向面とにまたがって配置されている、実施態様８に記載の記録装置。
〔実施態様１０〕
少なくとも、駆動に必要な全てのモータ、制御基板、電源基板、および記録手段から吐出された廃インクを収容し、保持するタンク部材を含む部品が、記録装置本体の概ね中央よりも前記平面形状の外面側に配置されている、実施態様５〜９のいずれかに記載の記録装置。
〔実施態様１１〕
前記平面形状の外面にはオプション部品の取り付けに利用するビス穴が形成されており、前記ビス穴の周囲が凸形状である、実施態様５〜１０のいずれかに記載の記録装置。
〔実施態様１２〕
前記設置面に対向する、前記平面形状の外面である設置対向面に、凸形状の足部材が設けられており、前記設置対向面と対向する前記平面形状の外面に、投影した形状が前記足部材と概ね同じの凹形状部が設けられている、実施態様５〜１１のいずれかに記載の記録装置。
〔実施態様１３〕
前記凸形状の足部材が弾性を有する材質からなる、実施態様１３に記載の記録装置。
〔実施態様１４〕
前記凹形状部は、前記第１のカバーに一体的に設けられている、実施態様１３または１４に記載の記録装置。
〔実施態様１５〕
前記第１のカバー部材および前記第２のカバー部材を閉じた際には、前記第１のカバー部材および前記第２のカバー部材を連結するロック機構を有している、実施態様１に記載の記録装置。